(57)【特許請求の範囲】
【請求項１】
一部が相互に同一の内容を有する複数の記録情報を記録する情報記録装置において、
各前記記録情報を取得する取得手段と、
前記取得した各前記記録情報を記録する記録手段と、
前記記憶した予め指定された一の前記記録情報及びその後に記録されている他の前記記録情報夫々における前記一部の境界部分を検出する第１の検出手段と、
前記取得した前記境界部分の検出結果に基づいて前記一部の内容が互いに同一であるか否かを検出する第２の検出手段と、を備え、
前記記録手段は、前記記録情報削除後において繰り上げるべき記録情報を示すパラメータを参照して、前記検出された一部の同一の内容を削除して前記記録情報を順次記録し、
前記同一の内容が除かれた次の記録情報を繰上げ処理することを特徴とする情報記録装置。
【請求項２】
請求項１に記載の情報記録装置において、
各前記記録情報の夫々が、予め設定された期間毎に放送される番組群における一回分の番組に相当する記録情報であると共に、
前記一部は、一の前記番組における本編部の前後に夫々放送される繰り返し部であることを特徴とする情報記録装置。
【請求項３】
請求項２に記載の情報記録装置において、
前記繰り返し部は、各前記番組におけるオープニング部及びエンディング部を少なくとも含むことを特徴とする情報記録装置。
【請求項４】
一部が相互に同一の内容を有する複数の記録情報を記録する情報記録方法において、
各前記記録情報を取得する取得工程と、
前記取得した各前記記録情報を記録する記録工程と、
前記記憶した予め指定された一の前記記録情報及びその後に記録されている他の前記記録情報夫々における前記一部の境界部分を検出する第１の検出工程と、
前記取得した前記境界部分の検出結果に基づいて前記一部の内容が互いに同一であるか否かを検出する第２の検出工程と、を備え、
前記記録工程は、前記記録情報削除後において繰り上げるべき記録情報を示すパラメータを参照して、前記検出された一部の同一の内容を削除して前記記録情報を順次記録し、
前記同一の内容が除かれた次の記録情報を繰上げ処理することを特徴とする情報記録方法。
【請求項５】
コンピュータを、
一部が相互に同一の内容を有する複数の記録情報の各前記記録情報を取得する取得手段、
前記取得した各前記記録情報を記録する記録手段、
前記記憶した予め指定された一の前記記録情報及びその後に記録されている他の前記記録情報夫々における前記一部の境界部分を検出する第１の検出手段、
前記取得した前記境界部分の検出結果に基づいて前記一部の内容が互いに同一であるか否かを検出する第２の検出手段、として機能させ、
前記記録手段は、前記記録情報削除後において繰り上げるべき記録情報を示すパラメータを参照して、前記検出された一部の同一の内容を削除して前記記録情報を順次記録し、
前記同一の内容が除かれた次の記録情報を繰上げ処理する手段として機能させることを特徴とする情報記録用プログラム。
【発明の詳細な説明】
【技術分野】
【０００１】
本願は、情報記録装置及び情報記録方法、情報再生装置及び情報再生方法、情報記録用プログラム及び情報再生用プログラムの技術分野に属する。
【背景技術】
【０００２】
従来、例えば地上波放送や衛星放送等の放送電波を受信して得られるデジタル化された動画像情報を記録可能な情報記録装置として、例えばいわゆるハードディスクレコーダがある。
【０００３】
ここで、従来の当該ハードディスクレコーダには、ＣＭ（commercial message）部に相当する情報について、これを（当該ＣＭ部以外の）本編部に相当する情報と共に記録し、再生時において当該ＣＭ部に相当する情報をスキップ（飛び越し）して再生することが可能な、いわゆるコマーシャルカット機能を搭載したものがある。
【０００４】
これに加えて、当該ハードディスクレコーダは、それに内蔵されている記録媒体としてのハードディスクが備えるランダムアクセス性を利用した、いわゆる追っかけ再生又はキャッシュ再生等の再生機能を有するプレーヤとして、今後多量に市場に導入されていくものと考えられている。
【発明の開示】
【発明が解決しようとする課題】
【０００５】
ここで、上述した従来のハードディスクレコーダ等においては、上述したコマーシャルカット機能等が備えられてはいるが、例えば連続ドラマ等、毎週或いは毎月定期的に放送される番組を続けてハードディスクに記録する場合、多くの番組において当該各番組の最初と最後は全く同じ内容（例えば、テーマソングなどのオープニング部やエンディングソング等のエンディング部等）となる場合が多い。
【０００６】
従って、既に記録済みの定期的に放送される番組の各回全てを使用者が視聴しようとする場合等においては、当該使用者が各回の番組を見ながら上述したオープニング部やエンディング部の画像を手動で見つけてこれらを早送りしながら再生しており、操作が面倒で煩わしいという問題点があった。
［０００７］
そこで、本願は、上記の事情を考慮してなされたもので、その課題の一例は、オープニング部又はエンディング部等、毎回同じ部分を含んで放送される番組の再生における利便性を向上させることが可能な情報再生装置及び情報再生方法、当該再生に用いられる情報再生用プログラム、当該利便性を向上させるように各番組を記録することが可能な情報記録装置及び情報記録方法、当該情報記録用プログラム又は当該各プログラムが記録された情報記録媒を提供することにある。
【課題を解決するための手段】
【０００８】
上記の課題を解決するため、請求項１に記載の発明は、一部が相互に同一の内容を有する複数の記録情報を記録する情報記録装置において、各前記記録情報を取得する取得手段と、前記取得した各前記記録情報を記録する記録手段と、前記記憶した予め指定された一の前記記録情報及びその後に記録されている他の前記記録情報夫々における前記一部の境界部分を検出する第１の検出手段と、前記取得した前記境界部分の検出結果に基づいて前記一部の内容が互いに同一であるか否かを検出する第２の検出手段と、を備え、前記記録手段は、前記記録情報削除後において繰り上げるべき記録情報を示すパラメータを参照して、前記検出された一部の同一の内容を削除して前記記録情報を順次記録し、前記同一の内容が除かれた次の記録情報を繰上げ処理することを特徴とする。
【０００９】
上記の課題を解決するために、請求項４に記載の発明は、一部が相互に同一の内容を有する複数の記録情報を記録する情報記録方法において、各前記記録情報を取得する取得工程と、前記取得した各前記記録情報を記録する記録工程と、前記記憶した予め指定された一の前記記録情報及びその後に記録されている他の前記記録情報夫々における前記一部の境界部分を検出する第１の検出工程と、前記取得した前記境界部分の検出結果に基づいて前記一部の内容が互いに同一であるか否かを検出する第２の検出工程と、を備え、前記記録工程は、前記記録情報削除後において繰り上げるべき記録情報を示すパラメータを参照して、前記検出された一部の同一の内容を削除して前記記録情報を順次記録し、前記同一の内容が除かれた次の記録情報を繰上げ処理することを特徴とする。
【００１０】
上記の課題を解決するために、請求項５に記載の発明は、コンピュータを、一部が相互に同一の内容を有する複数の記録情報の各前記記録情報を取得する取得手段、前記取得した各前記記録情報を記録する記録手段、前記記憶した予め指定された一の前記記録情報及びその後に記録されている他の前記記録情報夫々における前記一部の境界部分を検出する第１の検出手段、前記取得した前記境界部分の検出結果に基づいて前記一部の内容が互いに同一であるか否かを検出する第２の検出手段、として機能させ、前記記録手段は、前記記録情報削除後において繰り上げるべき記録情報を示すパラメータを参照して、前記検出された一部の同一の内容を削除して前記記録情報を順次記録し、前記同一の内容が除かれた次の記録情報を繰上げ処理する手段として機能させることを特徴とする。
【図面の簡単な説明】
［００１４］
【図１】実施形態に係る情報処理装置の概要構成を示すブロック図である。
【図２】実施形態に係るシーンチェンジ検出部の内部構成を示すブロック図である。
【図３】実施形態に係る同一シーン検出部の内部構成を示すブロック図である。
【図４】実施形態に係る番組の記録例を示す図である。
【図５】第１実施形態に係る再生処理におけるシーンチェンジ検出処理及び同一シーン検出処理を示すフローチャートである。
【図６】第１実施形態に係る同一シーン記録テーブルの内容を例示する図である。
【図７】第１実施形態に係る再生処理を示すフローチャートである。
【図８】第１実施形態に係る再生処理を例示する図である。
【図９】第２実施形態に係る記録処理を示すフローチャートである。
【符号の説明】
［００１５］
１    情報処理装置
２    アンテナ
３    ＴＶモニタ
１１    チューナ部
１２    ＴＳ復調部
１３    ハードディスクドライブ
１３ａ  ハードディスク
１４    録画／再生制御部
１５    リモコン
１６    シーンチェンジ検出部
１７    同一シーン検出部
【発明を実施するための最良の形態】
［００１６］
次に、本願を実施するための最良の形態について、図面に基づいて説明する。
［００１７］
なお、以下に説明する実施の形態は、ＢＳ（Ｂｒｏａｄｃａｓｔｉｎｇ  Ｓａｔｅｌｌｉｔｅ）デジタル放送に代表されるデジタル放送にて配信されるＡＶ（Ａｕｄｉｏ  Ｖｉｓｕａｌ）情報をハードディスクに記録することが可能とされていると共に、上記ＡＶ情報の再生処理も可能とされている情報処理装置に対して夫々本願の情報記録装置及び情報再生装置を適用した場合の実施の形態である。
［００１８］
また、以下の説明において、上記ＡＶ情報は、動画像の圧縮技術に関する規格として周知のＭＰＥＧ２規格におけるＴＳ（トランスポートストリーム）規格に則って放送されてくるものとする。
［００１９］
（Ｉ）第１実施形態
初めに、本願に係る第１実施形態について、図１乃至図８を用いて説明する。
［００２０］
まず、図１乃至図３を用いて、第１実施形態に係る情報処理装置の全体構成及び動作について説明する。なお、図１は第１実施形態に係る情報処理装置を示すブロック図であり、図２は当該情報処理装置に含まれるシーンチェンジ検出部の内部構成を示すブロック図であり、図３は当該情報処理装置に含まれる同一シーン検出部の内部構成を示すブロック図である。
［００２１］
図１に示すように、第１実施形態の情報処理装置１は、デジタル放送の放送電波を受信するアンテナ１０と、取得手段としてのチューナ部１１と、ＴＳ復調部１２と、ハードディスク（以下、ＨＤという。）１３ａが内蔵されている記録手段としてのハードディスクドライブ（以下、ＨＤＤという。）１３と、再生手段及び記録手段としての録画／再生制御部１４と、リモコン１５と、第１の検出手段としてのシーンチェンジ検出部１６と、第２の検出手段としての同一シーン検出部１７と、テレビ信号生成部１８と、ＴＶ（Ｔｅｌｅｖｉｓｉｏｎ）モニタ１９と、により構成されている。
【００２２】
次に、シーンチェンジ検出部１６及び同一シーン検出部１７の細部構成について、夫々図２及び図３を用いて説明する。
【００２３】
先ず図２に示すように、シーンチェンジ検出部１６は、ＤＣ（直流）係数抽出部２１と、バッファ回路２２と、差分抽出回路２３と、絶対値化回路２４と、シーンチェンジ判定回路２５と、により構成されている。このとき、ＤＣ係数抽出部２１には符号化映像信号がＨＤＤ１３から入力される一方、バッファ回路２２にはフレーム・クロック信号が、シーンチェンジ判定回路２５にはしきい値制御信号が、夫々録画／再生制御部１４から入力される。
【００２４】
一方、図３に示すように、同一シーン検出部１７は、ＤＣ係数抽出部２６と、バッファ回路２７と、差分抽出回路２８と、絶対値化回路２９と、同一シーン判定回路３０と、により構成されている。この構成において、図２と同様に、ＤＣ係数抽出部２６には符号化映像信号がＨＤＤ１３から入力される一方、バッファ回路２７にはフレーム・クロック信号が、同一シーン判定回路３０にはしきい値制御信号が、夫々録画／再生制御部１４から入力される。
【００２５】
ここで、上記「シーン」とは、受信されてＨＤ１３ａに記録される動画像情報において、内容における時間的連続性を有する一つの纏まり（塊）を言う。また、「シーンチェンジ」とは、上記シーンの境界部分を言うものとする。例えば、通常、ある番組を構成する動画像情報には、その番組自体である本編部の他にそのオープニング部及びエンディング部が存在し、そのオープニング部と本編部の境界部分及び当該本編部とエンディング部との境界部分の夫々にはＣＭ部が存在している場合が多く、シーンチェンジ検出の一例としては、そのＣＭ部と他の部分との境界部分を検出することが挙げられる。
【００２６】
そして、この場合、ＣＭ部の開始直前に通常設けられる数百ミリ秒の無音部を検出することで当該ＣＭ部を識別することができる。また、当該ＣＭ部を検出する他の例としては、周知のようにＣＭ部に含まれる音声信号が常にステレオモードであり、他の例えば本編部がモノラルモードあることから、これらの放送モードの違いにより当該ＣＭ部を識別する例もある。
【００２７】
次に、上述した構成を備える情報処理装置１の概要動作について説明する。
【００２８】
先ず、ＨＤ１３ａへの記録動作について説明する。
【００２９】
当該記録動作において、受信すべき番組に対応する番組情報を含む放送電波をアンテナ１０で受信しているとき、リモコン１５を操作することにより当該番組が選定されると、チューナ部１１は、当該リモコン１５からの当該選局操作に対応する操作信号に基づく録画／再生制御部１４の制御の下、その番組情報に対応する受信信号を、当該放送電波を受信した受信信号から抽出してＴＳ復調部１２に出力する。
【００３０】
そして、ＴＳ復調部１２は、出力されてきた受信信号に含まれる圧縮符号化された符号化映像信号及び符号化音声信号を復調してＨＤＤ１３に出力する。
【００３１】
これにより、ＨＤＤ１３では、復調された符号化映像信号及び符号化音声信号をＨＤ１３ａに記録する。なお、この場合の記録態様については、後ほど図４及び図５を用いて詳述する。
【００３２】
次に、ＨＤ１３ａに記録された符号化映像情報及び符号化音声情報の再生動作について説明する。
【００３３】
当該再生動作時において、所定のタイミングでＨＤ１３ａから読み出された符号化映像信号及び符号化音声信号は、テレビ信号生成部１８に出力される。そして、テレビ信号生成部１８は、当該出力されてきた符号化映像信号及び符号化音声信号をテレビ信号として復号し、ＴＶモニタ３に出力する。
【００３４】
そして、ＴＶモニタ３は、上記復号された映像信号が入力されると当該入力された映像信号に対応する画像を出力すると共に、上記復号された音声信号が入力されると当該入力された音声信号に対応する音声が図示しないスピーカにより放音される。
【００３５】
一方、上述した再生動作と並行して、上記符号化映像信号は、ＨＤ１３ａからシーンチェンジ検出部１６及び同一シーン検出部１７にも出力される。
【００３６】
そして、シーンチェンジ検出部１６は、上記符号化映像信号により表示される映像におけるシーンチェンジを検出し、当該検出結果を示すシーンチェンジ検出信号を生成して録画／再生制御部１４へ出力する。
【００３７】
一方、同一シーン検出部１７は、シーンチェンジ検出部１６から出力されたシーンチェンジ検出信号に基づく録画／再生制御部１４の制御の下、各シーンに相当する符号化映像信号同士を比較し、当該比較された符号化映像信号に相当するシーン同士が同一の内容を夫々に有するか否かを検出し、当該検出結果を示す同一シーン検出信号を生成して録画／再生制御部１４へ出力する。
【００３８】
そして、録画・再生制御部１４は、当該シーンチェンジ検出信号及び同一シーン検出信号に基づいて後述する第１実施形態の再生処理が実行されるように必要な制御信号等を生成して上記各構成部材に出力する。
【００３９】
次に、図２を用いてシーンチェンジ検出部１６によるシーンチェンジ検出動作の詳細を説明する。
【００４０】
上述したシーンチェンジ検出動作において、シーンチェンジ検出部１６内のＤＣ係数抽出部２１は、ＭＰＥＧ２規格に則って符号化された上記符号化映像信号がＤＣ（直流）係数及びＡＣ（交流）係数を含んでいることを利用し、当該符号化映像信号を構成する各フレーム内の各ブロック毎に上記ＤＣ係数のみを抽出する。
【００４１】
そして、当該抽出されたＤＣ係数はそのまま差分抽出回路２３に出力されると共にバッファ回路２２にも出力され、当該バッファ回路２２においてフレーム・クロック信号に基づき一フレーム分に相当する時間だけ遅延されて差分抽出回路２３に出力される。
【００４２】
これにより、差分抽出回路２３においては、バッファ回路２２において一フレーム分遅延されて入力されてくる一フレーム前のタイミング（τ−１）の符号化映像信号のＤＣ係数Ｄ（τ−１）（τは現フレームのタイミングを示し、ＤはＤＣ係数を示すものとする。以下、同じ。）と現タイミングにおけるフレームに相当する符号化映像信号のＤＣ係数Ｄ（τ）とが各ブロック毎に比較され、その差分である、Ｄ（τ）−Ｄ（τ−１）が各ブロック毎に算出されて絶対値化回路２４へ出力される。
【００４３】
次に、絶対値化回路２４は、上記差分の絶対値「｜Ｄ（τ）−Ｄ（τ−１）｜」を各ブロック毎に算出することで、時間軸上で相隣接する二つのフレームにおける夫々のブロック毎のＤＣ係数の差分絶対値を求める。ここで、シーンチェンジが発生している部分では、そのシーンチェンジ直前のフレームとシーンチェンジ直後のフレームではそれらの連続性が著しく異なるため、上記差分絶対値は大きい値となる。さらに、シーンチェンジの場合は、比較されるフレーム内の全てのブロックにおいて上述した差分絶対値が大きい状態が発生するため、差分絶対値が大きくなるブロックの数も増加することになる。
【００４４】
これらにより、シーンチェンジ判定回路２５は、あるタイミングτのフレームにおいて、上記差分絶対値｜Ｄ（τ）−Ｄ（τ−１）｜が予め設定されたしきい値Ａより大きくなったブロックの数が予め設定されているしきい値Ｂより大きくなった場合に、タイミングτと直前のタイミング（τ−１）との間にシーンチェンジが発生したと判定し、その旨を示す上記シーンチェンジ検出信号を生成して録画／再生制御部１４に出力する。なお、これらの処理において、しきい値Ａ及びＢは、夫々実験的に予め設定されており、録画／再生制御部１４からしきい値制御信号として出力されてくるものである。
【００４５】
次に、図３を用いて同一シーン検出部１７による同一シーン検出動作の詳細を説明する。
【００４６】
上述した同一シーン検出動作において、同一シーン検出部１７は、比較基準となるシーンを構成する符号化映像信号における一フレーム分のＤＣ係数と、当該比較基準に対する比較対象となるシーンを構成する符号化映像信号における一フレーム分のＤＣ係数と、を比較し、さらにシーンチェンジ検出部１７には、ＨＤ１３ａより比較するシーンに相当する符号化映像信号を交互に入力する。例えば、シーン１とシーン５を比較する場合では、シーン1の該当フレームを入力し、バッファ回路２７にフレーム・クロック信号を入力することで、シーン１の該当フレームのバッファリングを行った後、シーン５の該当フレームを入力する。ＤＣ係数抽出部２６は、交互に入力された符号化映像信号の夫々を構成する各フレーム内の各ブロック毎の上記ＤＣ係数のみを抽出する。
【００４７】
差分抽出回路２８においては、バッファ回路２７においてバッファリングされて入力されてくるシーン１タイミング（τ）の符号化映像信号のＤＣ係数Ｄ１(τ)と、シーン５タイミング（τ）の符号化映像信号のＤＣ係数Ｄ５(τ)とが各ブロック毎に比較され、その差分である、Ｄ１(τ)−Ｄ５(τ)が各ブロック毎に算出されて絶対値化回路２９へ出力される。
【００４８】
次に、絶対値化回路２９は、上記差分の絶対値「｜Ｄ１(τ)−Ｄ５(τ)｜」を各ブロック毎に算出することで、時間軸上で相隣接する二つのフレームにおける夫々のブロック毎のＤＣ係数の差分絶対値を求める。ここで、比較される二つのシーンが同一である場合は、上記差分絶対値は極めて零に近い値となる。
【００４９】
これらにより、同一シーン判定回路３０は、あるタイミングτのフレームにおいて、上記差分絶対値｜Ｄ１(τ)−Ｄ５(τ)｜が予め設定されたしきい値Ｃより小さくなったブロックの数が予め設定されているしきい値Ｄより大きくなった場合に、タイミングτのシーン１の内容とシーン５の内容とは同一であると判定し、その旨を示す上記同一シーン検出信号を生成して録画／再生制御部１４に出力する。なお、これらの処理において、しきい値Ｃ及びＤは、夫々実験的に予め設定されており、録画／再生制御部１４からしきい値制御信号として出力されてくるものである。
【００５０】
（Ｉ−Ａ）第１実施形態の記録処理
次に、録画／再生制御部１４の制御の下で実行される第１実施形態に係る記録処理について説明する。
【００５１】
第１実施形態に係る記録処理自体は、基本的には従来と同様のものであり、例えば上記連続ドラマの場合は、各回の放送分を各回毎に区分しつつそのままＨＤ１３ａに符号化映像信号及び符号化音声信号として記録する。
【００５２】
なお、以下の第１実施形態の説明では、上記連続ドラマにおける各回の放送分の夫々を「タイトル」と称して説明する。そして、各タイトルがオープニング部と、それに続く本編部と、それに続くエンディング部と、から構成されているものとする。
【００５３】
また、第１実施形態に係る記録処理においては、各タイトルはそれらが放送されたままの形態で符号化映像信号及び符号化音声信号として記録されるのであるが、後述する再生処理の説明においては、各タイトルは図４に示すようなシーン構成で構成されているものとし、当該各シーンを当該再生処理において検出する。ここで、図４は上記連続ドラマに対応する符号化映像信号をＨＤ１３ａ上に記録した状態を例示する図であり、上述したＣＭ部は図示を省略している。
【００５４】
すなわち、図４に示すように、以下に説明する再生処理に供される記録済みの各タイトルにつき、タイトル１においては、後述のシーン番号１及び２で示されるシーンが当該タイトル１のオープニング部に相当し、後述のシーン番号３で示されるシーンが当該タイトル１の本編部に相当し、後述のシーン番号４で示されるシーンが当該タイトル１のエンディング部に相当している。また、同様にタイトル２において、後述のシーン番号５及び６で示されるシーンはオープニング部に、後述のシーン番号７で示されるシーンは本編部に、後述のシーン番号８で示されるシーンはエンディング部に、夫々相当している。さらに、タイトル３においても同様に、後述のシーン番号９及び１０で示されるシーンはオープニング部に、後述するシーン番号１１で示されるシーンは本編部に、後述するシーン番号１２で示されるシーンはエンディング部に、夫々相当している。そして、各タイトルにおけるオープニング部及びエンディング部は当該各タイトル相互間で同一のシーン内容となっている。
【００５５】
（Ｉ−Ｂ）第１実施形態の再生処理
次に、図４に示すタイトルのみが区分されてＨＤ１３ａに記録されている上記符号化映像信号及び符号化音声信号を再生する第１実施形態に係る再生処理について、図５乃至図８を用いて説明する。
【００５６】
なお、図５は第１実施形態に係るシーンチェンジ検出処理及び同一シーン検出処理を示すフローチャートであり、図６は図４に示す態様で記録された各タイトルに対応する第１実施形態に係る同一シーン記録テーブルの内容を例示する図であり、図７は第１実施形態に係るシーンの同一性を考慮した再生処理を示すフローチャートであり、図８は当該再生処理を具体的に例示する図である。
【００５７】
第１実施形態に係る再生処理においては、実際の再生処理の前に、タイトルのみが区分されてＨＤ１３ａに記録されている上記符号化映像信号における各シーン自体の検出並びに検出されたシーン夫々における同一シーンが図５に示す処理に基づいて検出され、その結果が図６に示す同一シーン記録テーブルとしてＨＤ１３ａ上に記録される。
【００５８】
また、図５において、パラメータＮは後ほど検出される各シーンの番号を示すパラメータであり、パラメータＩは二つのシーンが同一であるか否かを検出する場合に比較基準となる方のシーンの番号を示すパラメータであり、パラメータＬは上記比較基準となるシーンと比較される比較対象となるシーンの番号を示すパラメータである。
【００５９】
さらに、図５に示す処理は、タイトルのみが区分されて記録されている符号化映像信号における各シーンを識別してこれを検出するシーンチェンジ検出処理（ステップＳ１乃至Ｓ７）と、検出されたシーン夫々を相互に比較して同一の内容を有するシーンを検出する同一シーン検出処理（ステップＳ８乃至Ｓ１２）と、から構成されている。
【００６０】
図５に示すように、第１実施形態に係る再生処理が開始されると、先ずパラメータＮを初期化し（ステップＳ１）、ＨＤ１３ａに記録されている符号化映像信号を、タイトル１から順に読み出す（ステップＳ２）。
【００６１】
次に、タイトル１のＨＤ１３ａ上の記録開始位置を示す記録開始位置情報を、シーン番号「１」のシーンのスタートアドレス（各シーンのＨＤ１３ａ上の記録開始位置を以下スタートアドレス（ＳＡ）と示し、各シーンのＨＤ１３ａ上の記録終了位置を以下エンドアドレス（ＥＡ）と示す。以下、同様。）として上記同一シーン記録テーブル内の後述するシーンアドレステーブル内に記録し（ステップＳ３）、次に、ＨＤ１３ａ上の全ての符号化映像信号の読み出しを終了したか否かを確認する（ステップＳ４）。
【００６２】
現在は全ての読み出しは完了していないので（ステップＳ４；ＮＯ）、次に、現在読み出している符号化映像信号のフレームにおいてシーンチェンジが発生したか否かを上記シーンチェンジ検出部１６において確認する（ステップＳ５）。そして、シーンチェンジが検出されないときは（ステップＳ５；ＮＯ）そのまま符号化映像信号の読み出しを継続する一方、シーンチェンジが検出された場合には（ステップＳ５；ＹＥＳ）、そのシーンチェンジの直前までにおいて一つのシーンが検出されたこととなるので、当該検出されたシーンチェンジのタイミングを示す位置情報をシーン番号「１」のシーンのエンドアドレスとして上記シーンアドレステーブル内に記録してパラメータＮをインクリメントし（ステップＳ６）、上記ステップＳ３に戻って次のシーンの検出を行う。
【００６３】
この後は、上記ステップＳ３乃至Ｓ６の処理を、ＨＤ１３ａに記録されている全ての符号化映像信号について行う。そして、全ての符号化映像信号の読み出しが完了したら（ステップＳ４；ＹＥＳ）、その最後に読み出された符号化映像信号のＨＤ１３ａ上の記録位置を当該符号化映像信号を構成する最後のシーン番号のシーンのエンドアドレスとして上記シーンアドレステーブル内に記録する（ステップＳ７）。
【００６４】
以上説明したステップＳ１乃至Ｓ７の処理により、ＨＤ１３ａ上の符号化映像信号に含まれている全てのシーンにおけるシーン番号とスタートアドレス及びエンドアドレスが特定され、上記シーンアドレステーブル内に記録されたことになる。
【００６５】
ここで、図４に例示した符号化映像信号について各シーンを検出した結果を、図６を用いて説明する。
【００６６】
図５に示すシーンチェンジ検出処理（ステップＳ１乃至Ｓ７）が完了した後には、図６左に示すシーンアドレステーブルが完成されている。このとき、当該シーンアドレステーブルにおいては、各タイトル毎に、それを構成する各シーンのスタートアドレスとエンドアドレスがフレーム単位で記録されている。なお、図６左に示すシーンアドレステーブルにおいては、図４に例示した１２個のシーンの夫々につき、時間（ｈ）、分（ｍ）、秒（ｓ）及びフレーム（ｆ）の単位でスタートアドレスとエンドアドレスが記録されている。
【００６７】
より具体的に図４及び図６左に示す例では、タイトル１のオープニング部に含まれるシーン番号「１」及び「２」の各シーンは、夫々、スタートアドレスが「タイトル１：00h00m00s00f」及び「タイトル１：00h05m00s00f」とされ、エンドアドレスが「タイトル１：00h05m00s00f」及び「タイトル１：00h05m30s00f」とされている。
【００６８】
また、タイトル１の本編部であるシーン番号「３」のシーンは、スタートアドレスが「タイトル１：00h05m30s00f」、エンドアドレスが「タイトル１：00h25m30s00f」とされている。
【００６９】
次に、タイトル１のエンディング部であるシーン番号「４」のシーンは、スタートアドレスが「タイトル１：00h25m30s00f」、エンドアドレスが「タイトル１：00h30m00s00f」とされている。
【００７０】
さらに、これ以後同様に、タイトル２のオープニング部に含まれるシーン番号「５」のシーンは、スタートアドレスが「タイトル２：00h00m00s00f」、エンドアドレスが「タイトル２：00h05m00s00f」とされ、タイトル２のオープニング部に含まれるシーン番号「６」のシーンは、スタートアドレスが「タイトル２：00h05m00s00f」、エンドアドレスが「タイトル２：00h05m30s00f」とされ、タイトル２の本編部であるシーン番号「７」のシーンは、スタートアドレスが「タイトル２：00h05m30s00f」、エンドアドレスが「タイトル２：00h25m30s00f」とされ、タイトル２のエンディング部であるシーン番号「８」のシーンは、スタートアドレスが「タイトル２：00h25m30s00f」、エンドアドレスが「タイトル２：00h30m00s00f」とされ、タイトル３のオープニング部に含まれるシーン番号「９」のシーンは、スタートアドレスが「タイトル３：00h00m00s00f」、エンドアドレスが「タイトル３：00h05m00s00f」とされ、タイトル３のオープニング部に含まれるシーン番号「１０」のシーンは、スタートアドレスが「タイトル３：00h05m00s00f」、エンドアドレスが「タイトル３：00h05m30s00f」とされ、タイトル３の本編部であるシーン番号「１１」のシーンは、スタートアドレスが「タイトル３：00h05m30s00f」、エンドアドレスが「タイトル３：00h25m30s00f」とされ、タイトル３のシーン番号「１２」のエンディング部は、スタートアドレスが「タイトル３：00h25m30s00f」、エンドアドレスが「タイトル３：00h30m00s00f」とされている。
【００７１】
次に、各シーンが検出された後（当該検出された後においては、パラメータＮは、ＨＤ１３ａに記録されている全てのシーンにおけるシーン番号の最大値（シーンの総数）を示している）に続いて実行される同一シーン検出処理について説明する。
【００７２】
ＨＤ１３ａに記録済みの各タイトルについて全てのシーンが検出されると（ステップＳ７）、次に、同一シーン検出処理における比較基準として全てのシーンを当該比較基準としたか否かを確認し（ステップＳ８）、現在はシーン番号「１」のシーンが当該比較基準となっているので（ステップＳ８；ＮＯ）、次に、そのときの比較基準となっているシーンに対して、全てのシーンを比較対照としたか否かを確認する（ステップＳ９）。
【００７３】
ステップＳ９の処理において、現在はシーン番号「１」のシーンが当該比較対照であるので（ステップＳ９；ＮＯ）、次に、現在、比較基準となっているシーンのシーン番号と比較対照となっているシーンのシーン番号とが同一であるかを確認し（ステップＳ１０）、現在は共に「１」であるので（ステップＳ１０；ＹＥＳ）同一シーン検出処理の対象ではないため上記ステップＳ９に戻り、パラメータＬをインクリメントして「２」とする（ステップＳ９）。そして、未だ全てのシーンが比較対照とはされておらず（ステップＳ９；ＮＯ）、さらに比較基準とされているシーンのシーン番号（現在は「１」）と比較対照とされているシーンのシーン番号（現在は「２」）とは現在同一ではないので（ステップＳ１０；ＮＯ）、次に、現在比較基準とされているシーン番号「１」のシーンと現在比較対照とされているシーン番号「２」のシーンとの同一性を同一シーン検出部１７において確認する（ステップＳ１１）。この結果、現在のシーン番号「１」のシーンとシーン番号「２」のシーンとは同一ではないので（図４参照。ステップＳ１１；ＮＯ）、そのまま上記ステップＳ９に戻り、次のシーン番号「３」のシーンを比較対照として上記ステップＳ９乃至Ｓ１１を繰り返す。以上のステップＳ９乃至Ｓ１１の処理を全てのシーンが比較対照となる（ステップＳ９；ＹＥＳ）まで繰り返すとき、シーン番号「５」及び「９」のシーンが比較対照となったときは、現在比較基準となっているシーン（シーン番号「１」）と同一のシーン内容となるので（図４参照。ステップＳ１１；ＹＥＳ）、現在比較基準となっているシーンに対応する後述の同一シーン番号テーブルに当該同一内容のシーンの番号「５」及び「９」を追加し（ステップＳ１２）、上記ステップＳ９に戻る。
【００７４】
そして、比較基準となっているシーン番号「１」のシーンについて全ての他のシーンを比較対照とした後は（ステップＳ９；ＹＥＳ）、比較基準となるシーンをインクリメントし、次のシーン番号「２」のシーンを比較基準として上述したステップＳ９乃至Ｓ１２の処理を実行する。以後、一の比較基準のシーンについて全ての他のシーンを比較対照とすることを繰り返し、全てのシーンを比較基準とした後は（ステップＳ８；ＹＥＳ）、後述する再生処理に移行する。
【００７５】
ここで、図４に例示した符号化映像信号について各シーンの同一性を検出した結果を、図６を用いて説明する。
【００７６】
図５に示す同一シーン検出処理（ステップＳ８乃至Ｓ１２）が完了した後には、図６右に示す同一シーン番号テーブルが完成されている。このとき、当該同一シーン番号テーブルにおいては、各シーン毎に、そのシーンと同一の内容を有するシーンの番号が記録されている。
【００７７】
より具体的に図４及び図６右に示す例では、タイトル１のシーン番号「１」のシーン（オープニング部前半）と同一の内容を有するシーンが、シーン番号「５」及び「９」のシーンであり、タイトル１のシーン番号「２」のシーン（オープニング部後半）と同一の内容を有するシーンが、シーン番号「６」及び「１０」のシーンであり、タイトル１のシーン番号「３」のシーン（本編部）と同一の内容を有するシーンはなく、タイトル１のシーン番号「４」のシーン（エンディング部）と同一の内容を有するシーンが、シーン番号「８」及び「１２」のシーンとなっている。
【００７８】
以下同様に、タイトル２のシーン番号「５」のシーンと同一の内容を有するシーンが、シーン番号「１」及び「９」のシーンであり、タイトル２のシーン番号「６」のシーンと同一の内容を有するシーンが、シーン番号「２」及び「１０」のシーンであり、タイトル２のシーン番号「７」のシーンと同一の内容を有するシーンはなく、タイトル２のシーン番号「８」のシーンと同一の内容を有するシーンが、シーン番号「４」及び「１２」のシーンであり、タイトル３のシーン番号「９」のシーンと同一の内容を有するシーンが、シーン番号「１」及び「５」のシーンであり、タイトル３のシーン番号「１０」のシーンと同一の内容を有するシーンが、シーン番号「２」及び「６」のシーンであり、タイトル３のシーン番号「１１」のシーンと同一の内容を有するシーンはなく、タイトル３のシーン番号「１２」のシーンと同一の内容を有するシーンが、シーン番号「４」及び「８」のシーンとなっている。
【００７９】
以上のステップＳ１乃至Ｓ１２の処理により、図６に示す同一シーン記録テーブルが完成し、以下の再生処理ではこの同一シーン記録テーブルを用いて第１実施形態に係る再生処理が実行される。
【００８０】
次に、図７及び図８を用いて当該再生処理について説明する。
【００８１】
図７に示すように、第１実施形態に係る再生処理においては、初めに、パラメータＮを初期化すると共にフラグＳＦをオフとする（ステップＳ１３）。ここで、フラグＳＦは、図５に示す処理により検出された同一内容のシーンについては再生をスキップして再生処理を継続することを示すフラグであり、録画／再生制御部１４内に設定されるものである。
【００８２】
各初期化が完了すると、次に、現在のシーン番号「１」を有するシーンのスタートアドレス及びエンドアドレスを図６に示すシーンアドレステーブルから読み出し、夫々パラメータＳＡ（スタートアドレスを示すパラメータ）及びパラメータＥＡ（エンドアドレスを示すパラメータ）に設定する（ステップＳ１４）。
【００８３】
そして、現在のパラメータＳＡが実体を有しているか否かを確認し（ステップＳ１５）、現在はパラメータＳＡにはシーン番号「１」のシーンのスタートアドレスが設定されているので（ステップＳ１５；ＮＯ）、次に、図６に示す同一シーン番号テーブルに基づき、現在のパラメータＮの値で示される番号のシーンに同一内容の他のシーンがあるか否かを確認する（ステップＳ１６）。このとき、現在のシーン番号「１」を有するシーンには同一内容のシーン番号「５」及び「９」のシーンがあるため（ステップＳ１６；ＮＯ）、次に、上記フラグＳＦが現在オンか否かを確認する（ステップＳ１８）。そして、現在フラグＳＦはオンではないので（ステップＳ１８；ＮＯ）、そのときのパラメータＮの値（現在は「１」）で示されるシーン番号のシーンをスタートアドレスからエンドアドレスまで再生して出力し（ステップＳ１９）、パラメータＮの値をインクリメントして（ステップＳ２０）上記ステップＳ１４に戻って次のシーン番号「２」のシーンにつき、ステップＳ１４乃至Ｓ２０の処理を繰り返す。
【００８４】
このとき、シーン番号「２」のシーンについては、同一内容の他のシーン（シーン番号「６」及び「１０」のシーン）があり（ステップＳ１６；ＮＯ）、さらに未だフラグＳＦはオンではないので（ステップＳ１８；ＮＯ）、当該シーン番号「２」のシーンをスタートアドレスからエンドアドレスまで再生して出力して（ステップＳ１９）、パラメータＮの値をインクリメントすることとなる（ステップＳ２０）。
【００８５】
次に、シーン番号が「３」となった場合においてステップＳ１４乃至Ｓ１６が実行されると、現在のシーン番号「３」を有するシーンには同一内容の他のシーンがないため（ステップＳ１６；ＹＥＳ）、上記フラグＳＦをオフからオンとすると共にパラメータＭに現在のパラメータＮの値を設定する（ステップＳ１７）。ここで、上記パラメータＭは、同一内容のシーンの再生をスキップしながら再生処理が進行しているとき、再生処理が終了しているシーン番号の最大値を示すパラメータである。
【００８６】
そして、ステップＳ１９の処理によりシーン番号「３」のシーンが再生されると、パラメータＮをインクリメントして（ステップＳ２０）再度上記ステップＳ１４に戻る。
【００８７】
シーン番号が「４」となった場合においてステップＳ１４乃至Ｓ１６が実行されると、現在のシーン番号「４」を有するシーンには同一内容のシーン番号のシーンがあり（ステップＳ１６；ＮＯ）、さらに上記フラグＳＦが現在はオンであるので（ステップＳ１８；ＹＥＳ）、当該シーン番号「４」のシーンの再生は行わずにこれをスキップしてステップＳ２０に移行する。
【００８８】
以上説明したステップＳ１４乃至Ｓ２０の処理が繰り返されることで、図６に示す同一シーン記録テーブルにおいて同一内容の他のシーンがあるシーンは再生がスキップされる一方、同一内容の他のシーンがないシーンは再生が実行される処理が繰り返されつつ、最後から二番目のシーン（図４及び図６に示す場合はシーン番号「１１」のシーン）までの再生処理が実行される（図８参照）。
【００８９】
そして、最後から二番目のシーンについて上記ステップＳ１９の再生処理が完了する（なお、この段階において、上記パラメータＭは当該最後から二番目のシーンのシーン番号と等しくなっている）と、次に、シーン番号をインクリメントした上で（ステップＳ２０）上記ステップＳ１４乃至Ｓ１６の処理を実行する。このとき、最後のシーンについてのステップＳ１６の処理は「ＮＯ」となり、さらにステップＳ１８の判定においては「ＹＥＳ」となるので、最後のシーン（図４の場合はシーン番号「１２」のシーン）は再生されないままシーン番号がインクリメントされ（ステップＳ２０）再び当該インクリメントされたシーン番号についてステップＳ１４及びＳ１５の処理が実行される。そして、今回のステップＳ１５の処理では実際には存在しないシーンの番号についての判定となるのでスタートアドレスは存在しないこととなり（ステップＳ１５；ＹＥＳ）、次に、そのときのパラメータＭの値（現在は「１１」）に「１」を加えた値（即ち、図４の例における最後のシーンのシーン番号）をパラメータＮとして設定し直した上でフラグＳＦもオフとし（ステップＳ２１）、現在のパラメータＮにより示されるシーン番号のシーン（図４に示す場合は「１２」）についてスタートアドレス及びエンドアドレスを夫々パラメータＳＡ及びＥＡに設定する（ステップＳ２２）。
【００９０】
そして、パラメータＳＡが実体を有しているか否かを確認し（ステップＳ２３）、現在は最後のシーンのスタートアドレスが設定されているので（ステップＳ２３；ＮＯ）、その最後のシーンを再生し（ステップＳ２４）、パラメータＮをインクリメントして（ステップＳ２５。図４の場合はパラメータＮを「１３」として）再び上記ステップＳ２２に戻る。
【００９１】
そして、現在のパラメータＮの値について上記ステップＳ２２及びＳ２３が実行されるが、今回のパラメータＮは実在しないシーンのスタートアドレスを設定することとなるのでパラメータＳＡは実体の無いものとなり（ステップＳ２３；ＹＥＳ）、全てのシーンの再生を終了したとして第１実施形態に係る再生処理を終了する。
【００９２】
なお、上述したステップＳ２１乃至Ｓ２５の処理は、同一内容の他のシーンが存在しており且つ一連のタイトルにおけるエンディング部に相当するシーンの内、最後のタイトルにおける当該エンディング部のシーンのみを再生するための処理である。
【００９３】
以上説明したように、第１実施形態に係る記録処理及び再生処理によれば、各タイトルにおいて他のタイトルと同一の内容のシーンを検出し、この同一のシーンをスキップして他のシーンのみを再生することができるので、オープニング部又はエンディング部等、毎回同じ部分を含んで放送される番組の再生における利便性を向上させることできる。
【００９４】
また、時間的に前後して記録されたタイトルであっても、これを連続的に再生する際に上記スキップ再生が自動的に為されるので、より便利に一連の連続ドラマ等を再生して視聴することができる。
【００９５】
(II)第２実施形態
次に、本願に係る他の実施形態である第２実施形態について、図１及び図９を用いて説明する。なお、図９は、第２実施形態に係る記録処理を示すフローチャートである。
【００９６】
また、第２実施形態に係る情報処理装置の構成は、基本的には第１実施形態に係る情報処理装置１と同様であるので、同様の部材番号を用いて以下の実施形態を説明し、夫々の部材の細部説明は省略する。また、第２実施形態の記録処理の対象となる符号化映像信号は、図４に示す例と同様のタイトル及びシーンの構成をもって放送されているものとする。
【００９７】
上述した第１実施形態においては、符号化映像信号の記録時においては受信したままの状態で各タイトル毎にＨＤ１３ａに記録し、その再生処理時において同一のシーンはスキップする再生処理を実行したが、以下に説明する第２実施形態では、記録処理として、一旦各タイトル毎に全てのシーンを記録した後に当該記録されている各シーンにおいて相互に同一の内容を有するシーンの一方を削除する。そして、各タイトルの再生処理として、従来と同様の記録順に沿った再生処理を実行する。
【００９８】
また、図９において、パラメータＮ、Ｉ、Ｌの夫々の定義は上記第１実施形態の場合と同様であるが、パラメータＭは、同一の内容を有するシーンを削除する段階において、削除後のシーン番号の繰り上げ処理に用いられるパラメータである。
【００９９】
さらに、図９に示す処理は、受信された符号化映像信号における各シーンを識別してこれを検出するシーンチェンジ検出処理（ステップＳ３１乃至Ｓ３８）と、検出されたシーン夫々を相互に比較して同一の内容を有するシーンを検出してその一方を削除する削除処理（ステップＳ３９乃至Ｓ４５）と、から構成されている。
【０１００】
図９に示すように、第２実施形態に係る記録処理が開始されると、先ず受信された符号化映像信号をその受信順に記録し（ステップＳ３１）、その記録処理が連続する番組における初回の記録であるか否かを確認する（ステップＳ３２）。そして、初回の記録であるときは（ステップＳ３２；ＹＥＳ）、パラメータＮを初期化し（ステップＳ３３）、その回において記録すべき符号化映像信号を全て記録し終えたか否かを確認する（ステップＳ３４）。
【０１０１】
一方、ステップＳ３２の判定において、初回の記録でないときは（ステップＳ３２；ＮＯ）、その時に記録されているパラメータＮの値を用いてステップＳ３４に移行する。
【０１０２】
次に、ステップＳ３４の判定において記録の終了でないときは（ステップＳ３４；ＮＯ）、次に、タイトル１に相当する符号化映像信号のＨＤ１３ａ上の記録開始位置を示す記録開始位置情報を、シーン番号「１」のシーンのスタートアドレスとして録画／再生制御部１４内の図示しないメモリ領域に記録し（ステップＳ３５）、次に、現在記録している符号化映像信号のフレームにおいてシーンチェンジが発生したか否かを上記シーンチェンジ検出部１６において確認する（ステップＳ３６）。そして、シーンチェンジが検出されないときは（ステップＳ３６；ＮＯ）そのまま符号化映像信号の受信及び記録処理を継続し、一方、シーンチェンジが検出された場合には（ステップＳ３６；ＹＥＳ）、そのシーンチェンジの直前までにおいて一つのシーンが検出されたこととなるので、当該検出されたシーンチェンジのタイミングを示す位置情報をシーン番号「１」のシーンのエンドアドレスとして上記メモリに記録してパラメータＮをインクリメントし（ステップＳ３７）、上記ステップＳ３４に戻って継続して受信される符号化映像信号における次のシーンの検出を行う。
【０１０３】
この後は、上記ステップＳ３４乃至Ｓ３７の処理を、受信される全ての符号化映像信号について行う。そして、全ての符号化映像信号の受信及び記録処理が完了したら（ステップＳ３４；ＹＥＳ）、その最後に記録された符号化映像信号のＨＤ１３ａ上の記録位置を当該符号化映像信号を構成する最後のシーン番号のシーンのエンドアドレスとして上記メモリ内に記録しさらにそのときのパラメータＮをインクリメントする（ステップＳ３８）。
【０１０４】
以上説明したステップＳ３４乃至Ｓ３８の処理により、受信された符号化映像信号に含まれている全てのシーンにおけるシーン番号とスタートアドレス及びエンドアドレスが特定され、上記メモリ内に記録されたことになる。
【０１０５】
次に、各シーンが検出された後（当該検出された後においては、パラメータＮは、ＨＤ１３ａに記録されている全てのシーンにおけるシーン番号の最大値（シーンの総数）＋１を示している）に続いて実行される同一シーン検出処理について説明する。
【０１０６】
ＨＤ１３ａに記録済みの各タイトルについて全てのシーンが検出されると（ステップＳ３８）、次に、同一シーン検出処理における比較基準として「総数−２」の数のシーンを当該比較基準としたか否かを確認し（ステップＳ３９）、現在はシーン番号「１」のシーンが当該比較基準となっているので（ステップＳ３９；ＮＯ）、次に、そのときの比較基準となっているシーンに対して、当該比較基準となっているシーンより後で最後シーン番号（現在のパラメータＮは「シーン総数＋１」の値となっている）のシーンまでを比較対照としたか否かを確認する（ステップＳ４０）。
【０１０７】
ステップＳ４０の処理において、現在はシーン番号「２」のシーンが当該比較対照となるので（ステップＳ３９；ＮＯ）、次に、現在、比較基準とされているシーン番号「１」のシーンと現在比較対照とされているシーン番号「２」のシーンとの同一性を同一シーン検出部１７において確認する（ステップＳ４１）。この結果、現在のシーン番号「１」のシーンとシーン番号「２」のシーンとは同一ではないので（図４参照。ステップＳ４１；ＮＯ）、そのまま上記ステップＳ４０に戻り、次のシーン番号「３」のシーンを比較対照として上記ステップＳ４０及びＳ４１を繰り返す。以上のステップＳ４０及びＳ４１の処理を全てのシーンが比較対照となる（ステップＳ４０；ＹＥＳ）まで繰り返すとき、シーン番号「５」及び「９」のシーンが比較対照となったときは、現在比較基準となっているシーン（シーン番号「１」）と同一のシーン内容となるので（図４参照。ステップＳ４１；ＹＥＳ）、比較対象であるシーン番号「５」及び「９」のシーンに相当する符号化映像信号をＨＤ１３ａ上から削除する（ステップＳ４２）。
【０１０８】
次に、シーン削除後においてシーン番号を繰り上げるべきシーンの番号を示すパラメータＭにつき、削除したシーンから最後のシーンまでについてシーン番号の繰上げ処理が完了したか否かを確認し（ステップＳ４３）、完了していないときは、ステップＳ４２において符号化映像信号を削除した一つのシーンにつき、そのシーンの次のシーンのスタートアドレス及びエンドアドレスを、夫々当該符号化映像信号が削除されたシーンのスタートアドレス及びエンドアドレスとして複写することで実質的にシーン番号を繰上げ（ステップＳ４５）、この処理を符号化映像信号が削除されたシーンより後の全てのシーンについて繰り返す（ステップＳ４３）。
【０１０９】
そして、削除した一つのシーンについての当該シーン番号の繰上げ処理が完了したら（ステップＳ４３；ＹＥＳ）、現在のパラメータＮの値をデクリメントし（ステップＳ４４）再び上記ステップＳ４０に戻る。
【０１１０】
そして、比較基準となっているシーン番号「１」のシーンについて他のシーンを比較対照とした後は（ステップＳ４０；ＹＥＳ）、比較基準となるシーンの番号をインクリメントし、次のシーン番号「２」のシーンを比較基準として上述したステップＳ４０乃至Ｓ４５の処理を実行する。以後、一の比較基準のシーンについて他のシーンを比較対照とすることを繰り返し、全てのシーンを比較基準とした後は（ステップＳ３９；ＹＥＳ）、第２実施形態に係る記録処理を終了する。
【０１１１】
以上説明した図９に示す処理により、一旦記録された全てのシーンから同一シーンを検出し、その同一と検出されたシーンにおける一方を削除してシーン番号を繰り上げる処理が繰り返される。これにより、図４に示す例では、シーン番号「４」、「５」、「６」、「８」、「９」及び「１０」の各シーンが削除された状態でシーン番号を連番化されてＨＤ１３ａに記録されることになる。
【０１１２】
そして、第２実施形態の再生処理では、この同一シーンが削除されて記録された各タイトルを、そのシーン番号の順に再生することとなる。
【０１１３】
以上説明したように、第２実施形態に係る記録処理及び再生処理によれば、記録済みの各タイトルにおいて他のタイトルと同一の内容のシーンを検出して削除するので、この同一のシーン以外の他のシーンのみを再生することができ、オープニング部又はエンディング部等、毎回同じ部分を含んで放送される番組の再生における利便性を向上させることできる。
【０１１４】
また、時間的に前後して記録されたタイトルであっても、これを連続的に再生する際に上記スキップ再生が自動的に為されるので、より便利に一連の連続ドラマ等を再生して視聴することができる。
【０１１５】
さらに、同一の内容のシーンに対応する符号化映像信号を削除するので、ＨＤ１３ａに記録する必要なメモリ容量を削減することができる。
【０１１６】
なお、本願は上記各実施形態に限定されることなく、種々の変更が可能である。
【０１１７】
例えば、上記実施形態では、ＢＳデジタル放送などの電波を受信して映像信号などを取得するようにしたが、これ以外に、アナログ地上波ＴＶ放送の電波や、インターネット又は専用回線を介したサーバＶＯＤ(Video On Demand)から映像信号などを取得するようにしてもよい。
【０１１８】
また、上記各実施形態では、記録媒体としてＨＤ１３ａを用いた場合について説明したが、これ以外に情報の書き換えが可能なＤＶＤやフラッシュメモリなどの各種記録媒体を使用することができる。
【０１１９】
さらに、図５、図７及び図９に示すフローチャートに対応するプログラムを、フレキシブルディスク又はＨＤなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係る記録／再生制御部１４等として機能させることが可能である。
【図１】
0004675885.tif 000002
【図２】
0004675885.tif 000003
【図３】
0004675885.tif 000004
【図４】
0004675885.tif 000005
【図５】
0004675885.tif 000006
【図６】
0004675885.tif 000007
【図７】
0004675885.tif 000008
【図８】
0004675885.tif 000009
【図９】
0004675885.tif 000010